(57)【特許請求の範囲】
【請求項１】
低酸素発生装置により発生させた低酸素を供給する移動式低酸素供給装置と、建屋内の一部を区画し、区画した内部の環境雰囲気の排気を行う排気手段、区画した内部の酸素濃度を測定して低酸素と混合する通常空気の供給量及び前記排気手段の排気量を設定する酸素濃度センサー、および前記移動式低酸素供給装置を着脱可能に連結する連結部を備え、接地部にシール部材を設けたカプセルユニットと、該カプセルユニットを建屋内の天井から昇降移動させる昇降手段と、該カプセルユニットを上昇位置で保持する保持手段とを設けた昇降式低酸素ルーム。
【請求項２】
カプセルユニットを上昇限で安全に保持する安全保持制御手段を設けた請求項１記載の昇降式低酸素ルーム。
【請求項３】
カプセルユニットの下部に折り畳み部を設けた請求項１又は２記載の昇降式低酸素ルーム。
【請求項４】
建屋内において、建屋内のカプセルユニットの存在位置を検出する位置検出手段と、カプセルユニットを建屋内の任意の位置に自動的に移動させる移動手段とを設けた請求項１，２又は３記載の昇降式低酸素ルーム。
【発明の詳細な説明】
【０００１】
【発明の属する技術分野】
本発明は、体育館や屋内プール等の建屋内の一部を区画して、建屋内の一部に簡単に低酸素環境を作り出す昇降式低酸素ルームに関する。
【０００２】
【従来の技術】
身体内の各細胞への酸素供給能力を高め、運動力及び持久力を向上するために、各種スポーツにおいて、低圧・低酸素環境下でトレーニングを行う高地トレーニングが一般的に行われている。
【０００３】
このような高地トレーニングは、一般に僻地である高地まで足を運ばなければならず、交通費や滞在費等のコスト面から、トップアスリートのための限られたトレーニング方法となっていた。また、該高地においては、低圧、低酸素環境のみならず、低気温や低湿度等のその他の自然環境も作用し、トレーニング環境として、理想的な環境とならない場合も多かった。
【０００４】
このため、高地まで赴かずに低酸素環境下でトレーニングを行うことができるように、特開平８−１１２３７３号公報、特開２０００−２７４７２号公報には、建物全体を人工的に低酸素環境とした発明が開示されている。
【０００５】
また、特開平１０−２１６４５５号公報には、中空糸膜等を用いた低酸素供給装置も開示されている。このような低酸素供給装置を小型化して移動式とし、組立て式のテント内を該移動式低酸素供給装置を用いて低酸素環境として、該テント内で就寝し、就寝時も肺機能の向上を図る試みもなされている。
【０００６】
【発明が解決しようとする課題】
このように、従来においては、低酸素環境を作り出すために、建物全体を低酸素環境とする必要や、特別の部屋やテントを構築する必要があり、低酸素環境とするためには、高額なコストと、特別なスペースとを必要とし、汎用的に低酸素環境下でのトレーニングを行うことができないという問題があった。
【０００７】
そこで、本発明は、従来技術における問題点を解消すべく創案されたもので、体育館やトレーニングジム等の既に構築されている建屋内においても、該建屋内の一部に、簡単に低酸素環境を作り出すことができ、また、低酸素環境を簡単に通常の環境に戻すことができる低酸素ルームを提供することを技術的課題とし、もって汎用的に低酸素環境下でのトレーニングを行うことを可能とすることを目的とする。
【０００８】
【課題を解決するための手段】
上記技術的課題を解決する本発明のうち、
請求項１に記載した発明の手段は、昇降式の低酸素ルームであって、低酸素発生装置により発生させた低酸素を供給する移動式低酸素供給装置と、建屋内の一部を区画し、区画した内部の環境雰囲気の排気を行う排気手段、区画した内部の酸素濃度を測定して低酸素と混合する通常空気の供給量及び排気手段の排気量を設定する酸素濃度センサー、および移動式低酸素供給装置を着脱可能に連結する連結部を備え、接地部にシール部材を設けたカプセルユニットと、該カプセルユニットを建屋内の天井から昇降移動させる昇降手段と、該カプセルユニットを上昇位置で保持する保持手段とを設けたこと、にある。
【０００９】
既存の体育館やトレーニングジム等の建屋において、該建屋の天井にカプセルユニットを連結した昇降手段を設置し、この昇降手段を用いてカプセルユニットを降下させて床面に接地して、建屋内の一部をカプセルユニットで機密に区画する。
【００１０】
そして、カプセルユニットの連結部に移動式低酸素供給装置を連結して、カプセルユニットの内部に低酸素を供給し、建屋内の通常環境とは異なる低酸素環境を建屋内の一部に作り出すことができる。
【００１１】
また、移動式低酸素供給装置を連結部から外し、昇降手段を用いてカプセルユニットを上昇移動させ、通常のトレーニングの邪魔にならない上昇位置でカプセルユニットを保持しておくことにより、同一建屋内を簡単に通常の環境に戻すことができる。
【００１２】
カプセルユニットの連結部から取り外した移動式低酸素供給装置は、建屋内の邪魔にならない位置に移動させて収納しておくことができ、カプセルユニットを上昇位置で保持しておくことができるため、通常環境下でのトレーニング時にこれらの装置が邪魔にならない。
【００１３】
請求項２記載の発明は、請求項１記載の発明の構成に、カプセルユニットを上昇限で安全に保持する安全保持制御手段を設けたこと、を加えたものである。
【００１４】
建屋内に設置された昇降手段に連結されたカプセルユニットは、昇降手段の上昇限で安定に保持されるため、カプセルユニットが邪魔とならず、カプセルユニット下においても安心してトレーニングを行うことができる。
【００１５】
請求項３記載の発明は、請求項１又は２記載の発明の構成に、カプセルユニットの下部に折り畳み部を設けたこと、を加えたものである。
【００１６】
昇降式低酸素ルームを使用しない場合は、カプセルユニットの下部の折り畳み部を折り畳み、上昇位置又は上昇限でカプセルユニットをコンパクトに収納保持しておくことが可能となる。
【００１７】
請求項４記載の発明は、請求項１，２又は３記載の発明の構成に、建屋内のカプセルユニットの存在位置を検出する位置検出手段と、カプセルユニットを建屋内の任意位置に自動的に移動させる移動手段とを設けたこと、を加えたものである。
【００１８】
建屋内のカプセルユニットの存在位置を検出する位置検出手段により、建屋内のカプセルユニットの存在位置を検出し、移動手段によって、カプセルユニットの存在位置から低酸素環境を作り出したい任意位置までカプセルユニットを自動的に移動させることができ、移動手段によって移動したカプセルユニットを降下接地することにより、簡単に建屋内の一部の任意位置に低酸素環境を作り出すことができる。
【００１９】
【発明の実施の形態】
以下、本発明の実施例を、図面を参照にしながら説明する。
図１は、既存の構築物、例えば、体育館、トレーニングジム内に設置された昇降式低酸素ルームの一実施例の概略構成を示す説明図である。
【００２０】
図１に示すように、昇降式低酸素ルーム１は、建屋２内の一部を区画するカプセルユニット３と、カプセルユニット３内に低酸素を供給する移動式低酸素供給装置４と、一端にカプセルユニット３に連結し、支持するワイヤー５を設け、該ワイヤー５を案内して、カプセルユニット３を昇降移動させる複数の滑車６を天井部２ａに設け、該ワイヤー５の他端に、滑車６を介してカプセルユニット３を昇降移動させるカウンターウエイト７を連結した昇降手段とから構成されている。
【００２１】
カプセルユニット３は、アクリル製のドーム状の頂部３ａが形成され、その下部にビニール製の蛇腹状に折り畳み可能となる折り畳み部３ｂが形成されている。更に、カプセルユニット３の下端部となる折り畳み部３ｂの下部には、床面に接地したカプセルユニットの機密性を保つゴム製のシール部３ｃが形成されている。
【００２２】
昇降式低酸素ルーム１使用時には、カプセルユニット３の蛇腹状の折り畳み部３ｂを引き伸ばし、カプセルユニット３の四隅に支持棒３ｄを止着して、引き伸ばした折り畳み部３ｂを固定する。
【００２３】
図１に示すように、カプセルユニット３は、折り畳み部３ｂを引き伸ばした状態で、カプセルユニット３内でトレッドミル１１やエアロバイク等のトレーニング器具を用いてトレーニングできる大きさ、一般的には、高さ２ｍ、面積３ｍ２程度の大きさとなるように形成されている。
【００２４】
昇降式低酸素ルーム１を使用しない場合は、カプセルユニット３の四隅に止着した支持棒３ｄを取り外し、折り畳み部３ｂを折り畳んで、折り畳み部３ｂの上部に設けた収納フック３ｅの引っ掛かり部を、折り畳み部の下部に設けた引っ掛け具３ｆに引っ掛けて、折り畳んだ状態の折り畳み部３ｂを支持する。このため、カプセルユニット３は、使用時の４分の１から３分の１程度の高さ、すなわち、０．５ｍ程度の高さ程度に小さくすることができる。
【００２５】
また、カプセルユニット３は、移動式低酸素供給装置４をフレキシブルダクト８ａを用いて着脱可能に連結する連結部８と、カプセルユニット３内の内部空気を排気する排気ファンと風量制御ダンパを備えた排気装置９を設けている。
【００２６】
カプセルユニット３内の内部空気を酸素濃度センサー１０によって測定し、この酸素濃度センサー１０の測定値に基づいて、移動式低酸素供給装置４に信号を発信し、この信号に基づいて、移動式低酸素供給装置４内で、発生した低酸素と混合する通常空気の供給量が設定される。また、酸素濃度センサー１０の測定値に基づいて、排気装置９に信号を発信し、排気装置９に設けた風量制御ダンパを開閉するか又は排気ファンの回転数により、排気量が設定される。
【００２７】
更に、カプセルユニット３は、人が出入り可能となるように、開放部及び該開放部に取り付けられる出入り口ドア３ｇが設けられており、開放部の端面及び出入り口ドア３ｇの端面の双方に機密性を高めるゴム製のシール部材を設け、カプセルユニット内部の機密性を保持している。なお、出入り口ドア３ｇも、折り畳み部３ｂの一部を構成し、他の折り畳み部３ｂと同様に折り畳み可能となるように形成されている。
【００２８】
カプセルユニット３は、昇降手段を構成するカウンターウエイト７により、昇降移動可能となる。
【００２９】
すなわち、昇降式低酸素ルーム１を使用しない場合は、カウンターウエイト７の錘を増量して、カプセルユニット３を上昇せしめ、上昇位置で滑車６を介して建屋２の天井２ａからカプセルユニット３を吊り下げた状態で保持する。また、昇降式低酸素ルーム１の使用時には、カウンターウエイト７の錘を減量し、カプセルユニット３を下降せしめて、カプセルユニット３を建屋２の床面２ｂに接地し、連結部８にフレキシブルダクト８ａを用いて移動式低酸素供給装置４を連結して、カプセルユニット３内に低酸素空気を供給し、カプセルユニット３内に低酸素環境を作り出す。
【００３０】
なお、カプセルユニット３の昇降手段として、カウンターウエイト７を用いた例を示したが、手動にてカプセルユニット３を昇降移動することも可能である。
【００３１】
そのほか、カプセルユニット３を支持しているワイヤー５をドラムに巻き取る巻き上げ装置に連結し、巻き上げ装置のモータ駆動によりドラムを回動させて、カプセルユニット３を建屋２の天井部２ａ附近から床面２ｂまで昇降自在とすることも可能である。この巻き上げ装置は、電気的に巻き上げ操作を行う操作盤に接続され、カプセルユニットの昇降を操作盤のスイッチ操作により遠隔で自動運転し、簡単に建屋内の床面にカプセルユニットを降下させ、また、カプセルユニットを上昇移動させることができる。
【００３２】
次に、前述で紹介した移動式低酸素供給装置４について説明する。図２は、カプセルユニット３及び移動式低酸素供給装置４の概略構成を説明する説明図である。
【００３３】
図２に示すように、移動式低酸素供給装置４には、低酸素を発生する低酸素発生装置１２及びカプセルユニット内に供給する低酸素濃度を調節する酸素濃度制御システムとが搭載されている。
【００３４】
図２に示すように、低酸素発生装置１２は、外部空気をコンプレッサー１３にて低酸素発生装置１２内に導入し、この空気をフィルター１４で清浄化した後、中空糸膜を用いた膜分離装置１５にて、空気中の酸素を中空糸膜の外側に選択的に透過させて、低酸素空気と高酸素空気を分離して低酸素空気を発生させ、配管１６に流通させる。分離した高酸素空気は、排気口１７から排気する。なお、低酸素発生装置１２は、圧力変動吸着（ＰＳＡ法）方式のものを用いてもよい。
【００３５】
酸素濃度制御システムは、カプセルユニット内の酸素濃度を測定する酸素濃度センサー１０の測定値に基づいて、低酸素発生装置１２から発生した低酸素空気と混合する通常空気の供給量を調節する空気調節弁１８を備えている。また、低酸素発生装置１２から発生した低酸素空気の配管１６内の流量を調節する流量調節弁１９と、配管１６内の流通する低酸素空気の酸素濃度を測定する酸素濃度センサー２０と、酸素濃度センサー２０の測定値に基づいて、通常空気と混合する低酸素空気の量を調節する排気弁２１とを備えている。
【００３６】
そして、空気調節弁１８で調節された設定量の通常空気と、排気弁２１により調節された設定量の低酸素空気を混合チャンバー２２でミックスし、所定濃度の低酸素空気を移動式低酸素供給装置４から送風機２２ａ又は送風ファンによりフレキシブルダクト８ａを通じてカプセルユニット３内に供給する。
【００３７】
カプセルユニット３内の酸素濃度が低くなりすぎた場合、カプセルユニット３内の酸素濃度センサー１０の測定値に基づいて、空気調節弁１８が開放され、低酸素空気と混合する通常空気の供給量が増量し、移動式低酸素供給装置４から供給される酸素濃度が上昇し、カプセルユニット３内の酸素濃度を上げる。
【００３８】
また、カプセルユニット３内の酸素濃度が高くなりすぎた場合、酸素濃度センサー１０の測定値に基づいて、排気装置９の排気ファンの回転数を増加し、カプセルユニット３内の高酸素濃度空気がカプセルユニット３外に排出され、低酸素空気が移動式低酸素供給装置４から供給されて、カプセルユニット３内の酸素濃度を下げる。
【００３９】
このように、カプセルユニット３内は、所望の低酸素環境となるように調整され、また、カプセルユニット３内でトレーニングを行う者にとって危険な酸素濃度レベルとならないように、安全な環境が保たれている。
【００４０】
カプセルユニット３内の内部環境雰囲気を建屋内の外部環境雰囲気よりもやや高圧に保つことにより、カプセルユニット３が床面に接地しているシール部３ｃから外部環境雰囲気がカプセルユニット３内に侵入せず、または出入り口ドア３ｄからの人の出入りよっても外部環境雰囲気がカプセルユニット３内に侵入しないため、カプセルユニット３内を所定の低酸素濃度環境に保つことが可能である。
【００４１】
なお、移動式低酸素供給装置４は、連結部８から着脱可能であるため、低酸素ルーム１を使用しない場合は、移動式低酸素供給装置４と、カプセルユニット３を分別し、移動式低酸素供給装置４を建屋内の邪魔にならない位置に収納しておくことが可能である。
【００４２】
次に、昇降式低酸素ルーム１を使用しない場合に、カプセルユニット３を上昇限で安定に保持しておく安全保持制御手段の実施例である安全保持制御装置について説明する。図３(a)乃至(c)は、カプセルユニット３を上昇限で保持制御する安全保持制御装置の概略構成を示す説明図である。
【００４３】
図３(a)乃至(c)に示すように、カプセルユニット３の頂部３ａには、一対の円筒状のインターロック装置２３が設けられており、このインターロック装置２３は、円筒頂部に設けたスイッチ機構２４と、ロック解除時は、インターロック装置２３内部に収納され、ロック作動時は、インターロック装置２３から水平方向に突出するロッド２５と、ロック作動を知らせる、ロッド２５の先端部に設けた安全スイッチ機構２６と、モータ駆動によってロッド２５をインターロック装置２３内に収納し、ロック作動時にロッド２５をインターロック装置２３から水平方向に突出させる小型モータ２７とを備えている。
【００４４】
また、建屋２の天井部２ａには、インターロック装置２３を嵌合し、スイッチ機構２４の接触を感知するスイッチセンサー２９備えた凹嵌部２８と、インターロック装置２３から水平方向に突出するロッド２５を嵌着し、ロッド２５の先端部に設けた安全スイッチ機構２６の接触を感知する安全センサー３１を備えたロッド嵌着部３０とからなる安全保持部を設けている。
【００４５】
スイッチセンサー２９及び安全センサー３１は、カプセルユニット３を昇降移動させる巻き上げ装置の操作盤に電気的に接続され、操作盤のスイッチ操作により、ロック作動及びロック解除を行うことが可能であり、この操作盤には、ロック作動及びロック解除を知らせる警告ランプと安全ランプが設けられている。
【００４６】
図３(a)に示すように、カプセルユニット３を連結支持しているワイヤー５がドラムの回動限まで巻き取られていない状態では、インターロック装置２３が建屋２の天井部２ａに設けた凹嵌部２８内に嵌合せず、また、安全スイッチ機構２６が、安全スイッチセンサー３１に接触しないため、安全スイッチセンサー３１が作動せず、ロック解除を知らせる操作盤の警告ランプが点灯した状態となっている。
【００４７】
次に、図３(b)に示すように、カプセルユニット３を連結支持しているワイヤー５が、ドラムの回動限まで巻き取られた上昇限で、インターロック装置２３が天井２ａに設けた安全保持部の凹嵌部３８に嵌合し、インターロック装置２３の頂部に設けられたスイッチ機構２４が凹嵌部２８内のスイッチセンサー２９に接触する。
【００４８】
そして、図３(c)に示すように、スイッチ機構２４から、ロック作動信号が伝達されて小型モータ２７が駆動し、ロッド２５がインターロック装置２３内部から水平方向に突出して、ロッド２５がロッド嵌着部３０に嵌着し、カプセルユニット３が天井部２ａの安全保持部に安定に保持される。
【００４９】
ロッド２５がロッド嵌着部３０に嵌着して、カプセルユニット３を天井部２ａに保持すると、ロッド２５の先端部に設けられた安全スイッチ機構２５が、ロッド嵌着部３０の安全スイッチセンサー３１に接触し、安全スイッチセンサー３１が安全スイッチ機構２６の接触を感知して、インターロック装置２３のロック作動を示す信号を発信して、操作盤の警告ランプが消灯し、安全ランプが点灯する。
【００５０】
一方、インターロック装置２３のロックを解除したい場合は、操作盤のスイッチ操作により、スイッチセンサー２９を通じてロック解除信号を発信する。スイッチセンサー２９を通じてスイッチ機構２６から小型モータ２７にロック解除信号が伝達され、小型モータ２７の駆動により、ロッド２５がロッド嵌着部３０から外れてインターロック装置２３内に収納され、天井部２ａの安全保持部からカプセルユニット３のロックが解除される。
【００５１】
なお、カプセルユニット３の荷重により、ロッド嵌着部３０からロッド２５が外れない場合も想定されるが、その場合は、小型モータ２７の駆動により、ロッド２５をロッド嵌着部３０内で、短時間浮かせ、その間にロッド２５をロッド嵌着部３０から外す制御を行うことが考えられる。
【００５２】
ロック解除信号に基づいて、ロッド２５がインターロック装置２３内に収納されると、安全スイッチ機構２６が離れたことを安全スイッチセンサー３１が感知して、ロック解除を示す信号を発信して安全ランプが消灯し、再び警告ランプが点灯する。
【００５３】
このように、昇降式低酸素ルーム１を使用しない場合には、カプセルユニット３の上昇限で、安全保持制御装置により、カプセルユニット３を建屋２の天井部２ａに保持しておくことができるため、カプセルユニット３の収納時の安全性が向上し、カプセルユニット３の下で、安心してトレーニングを行うことができる。
【００５４】
なお、本例においては、電気的制御によりカプセルユニット３を保持制御するインターロック装置２３からなる制御手段を示したが、油圧シンリンダ等を用いた油圧制御により、カプセルユニット３を保持制御する制御手段を用いることも可能である。
【００５５】
次に、昇降式低酸素ルームの他の実施例を示し、カプセルユニット３の建屋２内の存在位置を認識する位置検出手段と、建屋２内の任意位置にカプセルユニット３を自動的に移動する移動手段である走行駆動装置について説明する。
【００５６】
この走行駆動装置は、操作盤と電気的に接続されており、操作盤のスイッチ操作により遠隔で自動運転することができる。なお、図４乃至図６は、位置検出手段及び走行駆動装置により建屋２内を移動するカプセルユニット３を示す説明図である。
【００５７】
図４及び図５に示すように、移動手段を構成する走行駆動装置は、建屋２内の天井２ａ近傍の一対の敷設台３２上に敷設した左右一対の走行レール３３と、この走行レール３３に沿って水平移動する移動レール体３４と、該走行プレート３４の開口部３４ａの両側に敷設した、走行レール３３に対して直交する一対の移動レール３５と、移動レール３５に沿って水平移動する移動台車３６とを設けている。
【００５８】
移動レール体３４には、走行車輪３４ａと、ステッピングモータを用いた走行駆動モータ３４ｂを設け、このモータ駆動によって、移動レール体３４が走行レール３３に沿って、水平移動する。
【００５９】
移動台車３６には、移動車輪３６ａと、ステッピングモータを用いた移動台車駆動モータ３６ｂ設け、このモータ駆動によって、移動台車３６が移動レール体３４上の移動レール３５に沿って、水平移動する。
【００６０】
また、移動台車３６には、カプセルユニット３を連結支持しているワイヤー５を巻き取る複数の巻き取りドラムと、該ドラムを回転駆動するモータとからなる巻き上げ装置３７を搭載している。
【００６１】
移動台車３６の下面には、カプセルユニット３に設けたインターロック装置２３を嵌合する凹嵌部と、スイッチセンサーと、ロッドを嵌着するロッド嵌着部と、安全スイッチセンサーとを設けた安全保持部が形成されている。このため、昇降式低酸素ルーム１を使用しない場合は、巻き上げ装置３７の回動限となるカプセルユニット３の上昇限で、カプセルユニット３に設けたインターロック装置２３が、移動レール体３４の一方の走行レール３３と他方の走行レール３３の間に設けた開口部３４ａから移動台車３６の安全保持部の凹嵌部に嵌合し、カプセルユニット３を移動台車３６に安全に保持する。
【００６２】
図５及び図６に示すように、走行駆動装置は、建屋内の一隅を仮想的に０点とした場合に、走行レール３３が敷設された建屋２の一辺をX軸として、仮想的０点から一定距離づつ、仮想的にプロットした０１，０２，０３・・・点のどの点上に移動レール体３４が存在するかを認識するX軸位置検出手段と、仮想的０点から、走行レール３３と直交する方向の一辺をＹ軸として、一定距離づつ仮想的にプロットした０１，０２，０３・・・点上のどの点上に移動台車３６が存在するかを認識するＹ軸位置検出手段とを備えている。
【００６３】
また、操作盤には、仮想ＸＹ軸上の任意の特定点を入力する入力手段と、Ｘ軸位置検出手段によって検出した移動レール体３４の存在位置と入力されたＸ軸上の特定点との距離およびＹ軸位置検出手段によって検出された移動台車３６の存在位置と入力されたＹ軸上の特定点との距離を演算する演算器を設けている。
【００６４】
建屋２内の仮想XY軸上の任意の特定点に低酸素環境を作り出したい場合、操作盤の入力手段から仮想ＸＹ軸上の任意の特定点を入力する。
【００６５】
そして、Ｘ軸位置検出手段によって検出された移動レール体３４の存在位置と、Ｘ軸上の特定点の距離が演算器によって演算され、該演算器からＸ軸上の特定点まで移動レール体３４を移動させるパルス信号が走行駆動モータ３４ｂに発信される。このパルス信号に基づいて走行駆動モータ３４ｂの回転軸の回転方向と回転角度が定められて、Ｘ軸上の任意の特定位置まで走行レール３３に沿って移動レール体３４が移動する。
【００６６】
次いで、Ｙ軸位置検出手段によって検出された移動台車３６の存在位置と、Ｙ軸上の特定点の距離が演算器によって演算され、該演算器からＹ軸上の特定点まで移動台車３６を移動させるパルス信号が移動台車駆動モータ３６ｂに発信される。このパルス信号に基づいて、移動台車駆動モータ３６ｂの回転軸の回転方向と回転角度が定められて、Ｙ軸上の任意の特定位置まで移動レール３５に沿って移動台車３６が移動する。
【００６７】
したがって、移動台車３６が仮想ＸＹ軸上の任意の特定点まで自動的に移動し、任意の特定点まで移動した移動台車３６からカプセルユニット３を降下させて、建屋２内の任意一部区画に、低酸素環境を作り出すことができる。
【００６８】
このように、トレッドミルや、エアロバイク等のマシンが設置してある建屋内の任意位置に、煩雑な手間を必要とすることなく、簡単に低酸素環境を作りだすことができ、効率良く低酸素環境下でのトレーニングを行うことができる。
【００６９】
【発明の効果】
本発明は、上記した構成となっているので、以下に示す効果を奏する。
請求項１に記載した発明にあっては、既存の体育館やトレーニングジム等の建屋において、昇降手段を設置し、この昇降手段を用いてカプセルユニットを床面に接地して、建屋内の一部をカプセルユニットで区画し、移動式低酸素供給装置をカプセルユニットの連結部に連結して、カプセルユニット内に低酸素を供給することにより、建屋内の一部に簡単に低酸素環境を作り出すことができる。
【００７０】
したがって、従来のように、建物全体を低酸素環境とするための高額なコストを必要とすることなく、同一建屋内の一部区画に低酸素環境を作り出すことができるため、トップアスリートのみならず、一般の運動愛好者も汎用的に低酸素環境下でのトレーニングを行うことができる。
【００７１】
また、同一建屋内で同時に、低酸素環境下のトレーニングと通常環境下のトレーニングを行うことができるため、トレーニングを行う者の体調を考慮して選択的にトレーニングを行うことが可能となる。
【００７２】
低酸素環境下でのトレーニングを行わない場合は、移動式低酸素供給装置をカプセルユニットの連結部から外し、カプセルユニットを上昇位置で保持することにより、簡単に通常の環境に戻すことができるため、従来のように低酸素環境とするための特別なスペースを必要とすることなく、効率的に体育館やトレーニングジム等の建屋を利用することができる。
【００７３】
請求項２記載の発明にあっては、建屋内に設置された昇降手段に連結されたカプセルユニットは、昇降手段の上昇限で安定に保持制御されるため、保持されたカプセルユニットの下で安心してトレーニングを行うことができる。
【００７４】
請求項３記載の発明にあっては、カプセルユニットの下部の折り畳み部を折り畳み、上昇位置又は上昇限でカプセルユニットをコンパクトに収納保持しておくことができるため、昇降式低酸素ルームの非使用時には、カプセルユニットが邪魔とならず、視覚的にも圧迫感を感じることなく、カプセルユニットを建屋の天井に近接した状態で保持し、通常のトレーニングを行うことができる。
【００７５】
請求項４記載の発明にあっては、カプセルユニットの存在位置を検出する位置検出手段と、カプセルユニットを建屋内の任意位置に自動的に移動させる移動手段とを設け、建屋内の任意位置にカプセルユニットを移動させて、カプセルユニットを降下接地し、建屋内の任意の一部区画に簡単に低酸素環境を作り出すことができる。
【００７６】
したがって、建屋内に設置してあるトレッドミルやエアロバイク等のトレーニングマシンを移動させることなく、カプセルユニットを移動させて、トレーニングを行いたいトレーニングマシンの周囲の一部分を簡単に低酸素環境とすることができ、汎用的に低酸素環境下でのトレーニングを行うことができる。
【図面の簡単な説明】
【図１】本発明の一実施例である、昇降式低酸素ルームの概略構成を示す説明図。
【図２】本発明の一実施例である、移動式低酸素供給装置及びカプセルユニットの概略構成を示す説明図。
【図３】本発明の一実施例である、安全保持制御装置のロック動作の概略構成を示す説明図。
【図４】本発明の一実施例である、移動手段の概略構成を示す説明図。
【図５】図４に示す移動手段の概略構成を示す説明図。
【図６】建屋内の一部に接地した状態の昇降式低酸素ルームを示す状態図。
【符号の説明】
１    ；  昇降式低酸素ルーム
２    ；  建屋
２ａ  ；  天井部
２ｂ  ；  床面
３    ；  カプセルユニット
３ａ  ；  頂部
３ｂ  ；  折り畳み部
３ｃ  ；  シール部
３ｄ  ；  支持棒
３ｅ  ；  収納フック
３ｆ  ；  引っ掛け具
３ｇ  ；  出入り口ドア
４    ；  移動式低酸素供給装置
５    ；  ワイヤー
６    ；  滑車
７    ；  カウンターウエイト
８    ；  連結部
８ａ  ；  フレキシブルダクト
９    ；  排気装置
１０  ；  酸素濃度センサー
１１  ；  トレッドミル
１２  ；  低酸素発生装置
１３  ；  コンプレッサー
１４  ；  フィルター
１５  ；  膜分離装置
１６  ；  配管
１７  ；  排気口
１８  ；  空気調節弁
１９  ；  流量調節弁
２０  ；  酸素濃度センサー
２１  ；  排気弁
２２  ；  混合チャンバー
２２ａ；  送風機
２３  ；  インターロック装置
２４  ；  スイッチ機構
２５  ；  ロッド
２６  ；  安全スイッチ機構
２７  ；  小型モータ
２８  ；  凹嵌部
２９  ；  スイッチセンサー
３０  ；  ロッド嵌着部
３１  ；  安全センサー
３２  ；  敷設台
３３  ；  走行レール
３４  ；  移動レール体
３４ａ；  走行車輪
３４ｂ；  走行駆動モータ
３４ｃ；  開口部
３５  ；  移動レール
３６  ；  移動台車
３６ａ；  移動車輪
３６ｂ；  移動台車駆動モータ
３７  ；  巻き上げ装置
【図１】
0004721150.tif 000002
【図２】
0004721150.tif 000003
【図３】
0004721150.tif 000004
【図４】
0004721150.tif 000005
【図５】
0004721150.tif 000006
【図６】
0004721150.tif 000007